【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
フィルム状の偏光子を備え、
凹状の切欠き部が、前記偏光子の端部に形成されており、
基準線Ｌが、前記切欠き部の両端に位置する一対の角部を結ぶ直線と定義されるとき、
前記基準線Ｌが前記偏光子の吸収軸線Ａと直交せず、
Ｗｃは、前記基準線Ｌに平行な方向における前記切欠き部の幅であり、
Ｗは、前記基準線Ｌに平行な方向における前記偏光子全体の幅であり、
Ｗｃ／Ｗが０．０５以上１．０未満であり、
前記偏光子の厚みが、１μｍ以上１０μｍ以下である、
偏光板。
【請求項２】
フィルム状の偏光子を備え、
凹状の切欠き部が、前記偏光子の端部に形成されており、
基準線Ｌが、前記切欠き部の両端に位置する一対の角部を結ぶ直線と定義されるとき、
前記基準線Ｌが前記偏光子の吸収軸線Ａと直交せず、
Ｗｃは、前記基準線Ｌに平行な方向における前記切欠き部の幅であり、
Ｗは、前記基準線Ｌに平行な方向における前記偏光子全体の幅であり、
Ｗｃ／Ｗが０．０５以上１．０未満であり、
前記偏光子の両表面に保護フィルム又は保護層が密着しており、
前記偏光子の一方の表面に密着する前記保護フィルム又は前記保護層が、トリアセチルセルロース又は環状オレフィンポリマー系樹脂を含む、
偏光板。
【請求項３】
前記偏光子の一方の表面に密着する前記保護フィルム又は前記保護層が、トリアセチルセルロースを含み、
前記偏光子の他方の表面に密着する前記保護フィルム又は前記保護層が、環状オレフィンポリマー系樹脂を含む、
請求項２に記載の偏光板。
【請求項４】
フィルム状の偏光子を備え、
凹状の切欠き部が、前記偏光子の端部に形成されており、
基準線Ｌが、前記切欠き部の両端に位置する一対の角部を結ぶ直線と定義されるとき、
前記基準線Ｌが前記偏光子の吸収軸線Ａと直交せず、
Ｗｃは、前記基準線Ｌに平行な方向における前記切欠き部の幅であり、
Ｗは、前記基準線Ｌに平行な方向における前記偏光子全体の幅であり、
Ｗｃ／Ｗが０．０５以上１．０未満であり、
前記偏光子の両表面のうち一方の表面のみに、保護フィルム又は保護層が密着しており、
前記保護フィルム又は前記保護層が、トリアセチルセルロース又は環状オレフィンポリマー系樹脂を含む、
偏光板。
【請求項５】
前記偏光子の他方の表面に、粘着層が密着している、
請求項４に記載の偏光板。
【請求項６】
フィルム状の偏光子を備え、
凹状の切欠き部が、前記偏光子の端部に形成されており、
基準線Ｌが、前記切欠き部の両端に位置する一対の角部を結ぶ直線と定義されるとき、
前記基準線Ｌが前記偏光子の吸収軸線Ａと直交せず、
Ｗｃは、前記基準線Ｌに平行な方向における前記切欠き部の幅であり、
Ｗは、前記基準線Ｌに平行な方向における前記偏光子全体の幅であり、
Ｗｃ／Ｗが０．０５以上１．０未満であり、
前記偏光子の一方の表面に、保護フィルム又は保護層が密着しており、
前記偏光子の他方の表面に、粘着層が密着している、
偏光板。
【請求項７】
前記偏光子の厚みが、１μｍ以上１０μｍ以下である、
請求項２〜６のいずれか一項に記載の偏光板。
【請求項８】
前記偏光子が、第一端部と、前記第一端部の反対側に位置する第二端部と、を有し、
前記切欠き部が、前記第一端部に形成されており、
前記切欠き部が、前記第一端部から前記第二端部へ向かって延びており、
前記切欠き部が延びる方向Ｅが、前記偏光子の吸収軸線Ａと平行でない、
請求項１〜７のいずれか一項に記載の偏光板。
【請求項９】
前記基準線Ｌが前記吸収軸線Ａとなす角度θが、０°以上６０°以下である、
請求項１〜８のいずれか一項に記載の偏光板。
【請求項１０】
前記基準線Ｌが前記吸収軸線Ａとなす角度θが、０°以上３０°以下である、
請求項１〜８のいずれか一項に記載の偏光板。
【請求項１１】
前記偏光子の上面において、前記切欠き部の深部が直線状であり、
前記切欠き部の深部が前記基準線Ｌに平行である、
請求項１〜１０のいずれか一項に記載の偏光板。
【請求項１２】
前記切欠き部の形状が、四角形である、
請求項１〜１１のいずれか一項に記載の偏光板。
【請求項１３】
前記切欠き部の深部が面取りされている、
請求項１〜１０のいずれか一項に記載の偏光板。
【請求項１４】
前記切欠き部において前記偏光子が露出している、
請求項１〜１３のいずれか一項に記載の偏光板。
【請求項１５】
画像表示装置に用いられる、
請求項１〜１４のいずれか一項に記載の偏光板。
【請求項１６】
請求項１〜１５のいずれか一項に記載の偏光板を含む、
画像表示装置。
【請求項１７】
請求項１〜１５のいずれか一項に記載の偏光板を製造する方法であって、
偏光子フィルムと、前記偏光子フィルムに重なる少なくとも一つの光学フィルムと、を含む第一積層体を作製する工程と、
前記第一積層体を加工して、前記偏光子フィルムの吸収軸線Ａに直交しない第一端部を有する第二積層体を作製する工程と、
凹状の切欠き部を、前記第一端部に形成する工程と、
を備え、
基準線Ｌが、前記切欠き部の両端に位置する一対の角部を結ぶ直線と定義されるとき、
Ｗｃは、前記基準線Ｌに平行な方向における前記切欠き部の幅であり、
Ｗは、前記基準線Ｌに平行な方向における前記偏光子フィルム全体の幅であり、
Ｗｃ／Ｗを０．０５以上１．０未満に調整する、
偏光板の製造方法。
【請求項１８】
前記第二積層体が、前記第一端部の反対側に位置する第二端部を有し、
前記切欠き部を、前記第一端部から前記第二端部へ向けて延ばし、且つ前記切欠き部が延びる方向Ｅを、前記吸収軸線Ａと平行でない方向に調整する、
請求項１７に記載の偏光板の製造方法。
【手続補正２】
【補正対象書類名】明細書
【補正対象項目名】００１４
【補正方法】変更
【補正の内容】
【００１４】
本発明の上記側面のいずれかに係る画像表示装置は、上記偏光板を含む。
本発明の第１側面に係る偏光板は、フィルム状の偏光子を備え、凹状の切欠き部が、偏光子の端部に形成されており、基準線Ｌが、切欠き部の両端に位置する一対の角部を結ぶ直線と定義されるとき、基準線Ｌが偏光子の吸収軸線Ａと直交せず、Ｗｃは、基準線Ｌに平行な方向における切欠き部の幅であり、Ｗは、基準線Ｌに平行な方向における偏光子全体の幅であり、Ｗｃ／Ｗが０．０５以上１．０未満であり、偏光子の厚みが、１μｍ以上１０μｍ以下である。
本発明の第２側面に係る偏光板は、フィルム状の偏光子を備え、凹状の切欠き部が、偏光子の端部に形成されており、基準線Ｌが、切欠き部の両端に位置する一対の角部を結ぶ直線と定義されるとき、基準線Ｌが偏光子の吸収軸線Ａと直交せず、Ｗｃは、基準線Ｌに平行な方向における切欠き部の幅であり、Ｗは、基準線Ｌに平行な方向における偏光子全体の幅であり、Ｗｃ／Ｗが０．０５以上１．０未満であり、偏光子の両表面に保護フィルム又は保護層が密着しており、偏光子の一方の表面に密着する保護フィルム又は保護層が、トリアセチルセルロース又は環状オレフィンポリマー系樹脂を含む。
本発明の第２側面においては、偏光子の一方の表面に密着する保護フィルム又は保護層が、トリアセチルセルロースを含んでよく、偏光子の他方の表面に密着する保護フィルム又は保護層が、環状オレフィンポリマー系樹脂を含んでよい。
本発明の第３側面に係る偏光板は、フィルム状の偏光子を備え、凹状の切欠き部が、偏光子の端部に形成されており、基準線Ｌが、切欠き部の両端に位置する一対の角部を結ぶ直線と定義されるとき、基準線Ｌが偏光子の吸収軸線Ａと直交せず、Ｗｃは、基準線Ｌに平行な方向における切欠き部の幅であり、Ｗは、基準線Ｌに平行な方向における偏光子全体の幅であり、Ｗｃ／Ｗが０．０５以上１．０未満であり、偏光子の両表面のうち一方の表面のみに、保護フィルム又は保護層が密着しており、保護フィルム又は保護層が、トリアセチルセルロース又は環状オレフィンポリマー系樹脂を含む。
本発明の第３側面においては、偏光子の他方の表面に、粘着層が密着していてよい。
本発明の第４側面に係る偏光板は、フィルム状の偏光子を備え、凹状の切欠き部が、偏光子の端部に形成されており、基準線Ｌが、切欠き部の両端に位置する一対の角部を結ぶ直線と定義されるとき、基準線Ｌが偏光子の吸収軸線Ａと直交せず、Ｗｃは、基準線Ｌに平行な方向における切欠き部の幅であり、Ｗは、基準線Ｌに平行な方向における偏光子全体の幅であり、Ｗｃ／Ｗが０．０５以上１．０未満であり、偏光子の一方の表面に、保護フィルム又は保護層が密着しており、偏光子の他方の表面に、粘着層が密着している。
本発明の第２〜４側面においては、偏光子の厚みが、１μｍ以上１０μｍ以下であってよい。
本発明の第１〜４側面においては、偏光子が、第一端部と、第一端部の反対側に位置する第二端部と、を有してよく、切欠き部が、第一端部に形成されていてよく、切欠き部が、第一端部から第二端部へ向かって延びていてよく、切欠き部が延びる方向Ｅが、偏光子の吸収軸線Ａと平行でなくてよい。
本発明の第１〜４側面においては、基準線Ｌが吸収軸線Ａとなす角度θが、０°以上６０°以下であってよい。
本発明の第１〜４側面においては、基準線Ｌが吸収軸線Ａとなす角度θが、０°以上３０°以下であってよい。
本発明の第１〜４側面においては、偏光子の上面において、切欠き部の深部が直線状であってよく、切欠き部の深部が基準線Ｌに平行であってよい。
本発明の第１〜４側面においては、切欠き部の形状が、四角形であってよい。
本発明の第１〜４側面においては、切欠き部の深部が面取りされていてよい。
本発明の第１〜４側面においては、切欠き部において偏光子が露出していてよい。
本発明の第１〜４側面に係る偏光板は、画像表示装置に用いられてよい。
本発明の一側面に係る画像表示装置は、上記の偏光板を含んでよい。
本発明の一側面に係る偏光板の製造方法は、上記の偏光板を製造する方法であって、偏光子フィルムと、偏光子フィルムに重なる少なくとも一つの光学フィルムと、を含む第一積層体を作製する工程と、第一積層体を加工して、偏光子フィルムの吸収軸線Ａに直交しない第一端部を有する第二積層体を作製する工程と、凹状の切欠き部を、第一端部に形成する工程と、を備え、基準線Ｌが、切欠き部の両端に位置する一対の角部を結ぶ直線と定義されるとき、Ｗｃは、基準線Ｌに平行な方向における切欠き部の幅であり、Ｗは、基準線Ｌに平行な方向における偏光子フィルム全体の幅であり、Ｗｃ／Ｗを０．０５以上１．０未満に調整する。
本発明の一側面に係る偏光板の製造方法では、第二積層体が、第一端部の反対側に位置する第二端部を有してよく、切欠き部を、第一端部から第二端部へ向けて延ばし、且つ切欠き部が延びる方向Ｅを、吸収軸線Ａと平行でない方向に調整してよい。